(57)【要約】【課題】吹出口の風向板による吹出し方向が、下吹き、水平吹きのいずれにおいても結露耐力に優れ、且つ風路圧損が小さい空気調和機を提供することを目的とする。【解決手段】この発明に係る空気調和機は、筐体１２の前面に左右方向に長く形成され、吹出し空気１０を吹出す吹出口５と、この吹出口５の上部を形成し、上流側が下方に傾斜する上顎部６と、吹出口５の下部を形成する下顎部７と、吹出口５に設けられ、上顎部６及び下顎部７と共に吹出し空気１０の上下方向の風向を制御する風向板８とを備え、風向板８を下吹きにした場合に、上顎部上流側６ａに沿って流れる吹出し空気１０が風向板先端部８ａまで到達するように、上顎部６の両端部の形状を、上顎部６の中央部の形状と異なる構成としたことを特徴とする。【選択図】図４
2008032238.tif 000002
【特許請求の範囲】
【請求項１】
空気調和機本体と、
この本体の前面に左右方向に長く形成され、吹出し空気を吹出す吹出口と、
この吹出口の上部を形成し、上流側が下方に傾斜する上顎部と、
前記吹出口の下部を形成する下顎部と、
前記吹出口に設けられ、前記上顎部及び前記下顎部と共に前記吹出し空気の上下方向の風向を制御する風向板とを備え、前記風向板を下吹きにした場合に、前記上顎部の上流側に沿って流れる吹出し空気が前記風向板の先端まで到達するように、前記上顎部の両端部の形状を、前記上顎部の中央部の形状と異なる構成としたことを特徴とする空気調和機。
【請求項２】
前記上顎部の上流側の左右方向両端部の傾斜角度は、前記上顎部の上流側の中央部の傾斜角度より大きいことを特徴とする請求項１記載の空気調和機。
【請求項３】
前記上顎部の上流部の左右方向両端部と前記風向板との距離は、前記上顎部の上流部の中央部と前記風向板との距離より小さく、上流から下流に向かって絞り形状としたことを特徴とする請求項１又は請求項２記載の空気調和機。
【請求項４】
前記吹出し口の左右方向両端から２００ｍｍ以内の範囲の前記上顎部の形状が、中央部と異なることを特徴とする請求項１乃至３のいずれかに記載の空気調和機。
【請求項５】
前記上顎部の左右方向両端部と中央部との境界を滑らかに繋いだことを特徴とする請求項１乃至４のいずれかに記載の空気調和機。
【発明の詳細な説明】
【技術分野】
【０００１】
この発明は、熱交換器と送風ファンとを収納する風路を介して連通する空気吸込口及び空気吹出口を有する空気調和機に関するもので、詳しくは、空気吹出口に設けられる風向板の結露を抑制する技術に関するものである。尚、空気調和機として、天井吊り下げ形空気調和機を例に説明する。
【背景技術】
【０００２】
天井吊り下げ形空気調和機は、筐体の下面に空気吸込口があり、この空気吸込口から室内空気を送風ファンにより風路内に吸い込み、風路に設けられる熱交換器で冷媒と室内空気とを熱交換させて二次空気とし、筐体の前面に設けられる吹出口から風向板で風向が制御された吹出し空気が吹出される（例えば、特許文献１参照）。
【特許文献１】特開平１１−２６４６０２号公報
【発明の開示】
【発明が解決しようとする課題】
【０００３】
天井吊り下げ形空気調和機は、前面に形成された左右に長い略矩形状の吹出口から吹出し空気が吹出されるが、吹出口の左右方向両端部では、壁の影響により吹出口の中央部よりも風速が遅くなる。特に、風向板を下に向けた冷房下吹き時に、風向板の先端（上下方向において、下になる端部）に吹出し空気が到達しないため、温度の高い室内空気を巻き込みやすく、冷房下吹き時に、風向板の先端に結露が発生する場合がある。
【０００４】
下向きの風向板の天井吊り下げ形空気調和機の前面側の面を表面とし、その裏側を裏面とすると、吹出口の左右方向両端部において、風向板の裏面は全面に温度の低い吹出し空気が沿って流れる。しかし、風向板の表面は、吹出口の左右方向両端部では風速が遅くなるため風向板の先端まで吹出し空気が到達しない場合がある。その場合には、風向板の先端に温度の高い室内空気を巻き込み、風向板の先端では、裏面よりも表面の温度が高くなり、表面側に結露が生じる。
【０００５】
冷房下吹き時の、風向板の表面の先端における結露を抑制するために、冷房下吹き時に吹出し空気が吹出口の両端部においても風向板の先端に到達するように吹出口全体の上顎部の形状を下向きにすると、水平吹き時に吹出口中央部の風速が早くなり吹出口の上顎部付近の気流が乱れ、冷房運転時に吹出口の上顎部に結露が生じたり、風路の圧損が大きくなるという課題があった。
【０００６】
この発明は、上記のような課題を解決するためになされたもので、吹出口の風向板による吹出し方向が、下吹き、水平吹きのいずれにおいても結露耐力に優れ、且つ風路圧損が小さい空気調和機を提供することを目的とする。
【課題を解決するための手段】
【０００７】
この発明に係る空気調和機は、空気調和機本体と、この本体の前面に左右方向に長く形成され、吹出し空気を吹出す吹出口と、この吹出口の上部を形成し、上流側が下方に傾斜する上顎部と、吹出口の下部を形成する下顎部と、吹出口に設けられ、上顎部及び下顎部と共に吹出し空気の上下方向の風向を制御する風向板とを備え、風向板を下吹きにした場合に、上顎部の上流側に沿って流れる吹出し空気が風向板の先端まで到達するように、上顎部の両端部の形状を、上顎部の中央部の形状と異なる構成としたことを特徴とする。
【発明の効果】
【０００８】
この発明に係る空気調和機は、上記構成により、吹出口の風向板による吹出し方向が、下吹き、水平吹きのいずれにおいても結露耐力に優れ吹出口の植毛が不要になるためコスト低減でき、且つ風路圧損が小さいので乱れの小さい滑らかな流れを提供できる。
【発明を実施するための最良の形態】
【０００９】
実施の形態１．
図１乃至図６は実施の形態１を示す図で、図１は天井吊り下げ形空気調和機２０の全体構成図、図２は下吹き時の吹出口５中央部の断面図、図３は水平吹き時の吹出口５中央部の断面図、図４は下吹き時の吹出口５両端部の断面図、図５は水平吹き時の吹出口５両端部の断面図、図６は吹出口５の正面図である。また、図８乃至図９は参考図で、図８は下吹き時の吹出口５両端部の断面図（上顎部上流側６ａの傾斜角度θｃと、吹出口５両端部の上顎部上流側６ａの傾斜角度θｓが同一の場合）、図９は水平吹き時の吹出口５中央部の断面図（上顎部上流側６ａの傾斜角度θｃが、吹出口５両端部の上顎部上流側６ａの傾斜角度θｓよりも大きい場合）である。
【００１０】
空気調和機の一例としての天井吊り下げ形空気調和機２０を例に以下の説明を行う。本発明は、天井吊り下げ形空気調和機２０の下吹き時に特に効果があるが、天井吊り下げ形空気調和機２０に限定されるものではない。
【００１１】
図１により、天井吊り下げ形空気調和機２０の全体構成を説明する。図１は天井吊り下げ形空気調和機２０を側面から見た断面図である。天井吊り下げ形空気調和機２０の筐体１２（空気調和機本体と呼ぶ）は、略四角形の箱形状である。この箱形状の筐体１２が天井から吊り下げられる。筐体１２の後部下面に室内空気１１を吸い込む吸込口２が形成されている。通常、吸込口２には、塵埃等を除去するフィルタが設けられる。
【００１２】
筐体１２内の吸込口２の近傍には、送風ファン１が設けられている。送風ファン１は電動機により駆動される。ここでは、送風ファン１に、例えばシロッコファンを用いている。
【００１３】
筐体１２内の風路３には、冷凍サイクルを構成する熱交換器４が送風ファン１の下流側に配置され、ここで室内空気１１と冷媒とが熱交換を行う。熱交換器４を通過した空気を二次空気９と呼ぶ。
【００１４】
吹出口５は、上部が上顎部６で、下部が下顎部７で構成される。そして、吹出し空気１０の上下方向の風向を制御する風向板８が、吹出口５に配置されている。風向板８は、円弧形状で、例えば、水平吹出し時には上（上顎部６側）に凸形状となる。
【００１５】
天井吊り下げ形空気調和機２０を前面から見ると、横長な吹出口５が左右方向に形成されている。吹出口５の両端を端部、その間を中央部とする。各端部は、左右方向の長さが２００ｍｍ以内の範囲とする。本実施の形態は、冷房運転時の風向板８の下吹き時に、風向板８の風向板表面８ｂに沿う吹出し空気１０の流れが風向板８の風向板先端部８ａまで到達するように、上顎部６の形状を吹出口５の中央部と両端部とで異なる構成にしたものである。
【００１６】
図２は吹出し空気１０を冷房運転時に下吹きする場合の吹出口５中央部付近の断面図であるが、熱交換器４の上段部を通過した二次空気９は、上顎部６の上顎部上流側６ａに沿って流れ吹出口５に到達する。上顎部６は、断面形状が略Ｖ字形状であり、吹出し空気１０の上流側に上から下に傾斜する上顎部上流側６ａ、吹出し空気１０の下流側に下から上に傾斜する上顎部下流側６ｂを有する。風向板８は円弧形状（下吹き時は、筐体１２前面側に凸）で、下向きになっていて風向板表面８ｂが上顎部上流側６ａ付近に対して負圧になることから、上顎部上流側６ａに沿った吹出し空気１０の流れは、風向板表面８ｂの円弧形状に沿って、矢印Ａ、矢印Ｂで示すように前方下方向に吹出される。また、熱交換器４の中段部、下段部を通過した二次空気９は、風向板裏面８ｃに衝突し、円弧形状に沿って流れ、矢印Ｃ、矢印Ｄで示すように前方下方向に吹出し空気１０として吹出される。尚、図２に示すように、上顎部上流側６ａの水平線に対する角度をθｃとする。角度θｃは、例えば、約５５度である。
【００１７】
吹出口５の左右方向両端部においては、壁の影響により吹出し空気１０の風速が吹出口５中央部よりも遅くなる。そのため、吹出口５の上顎部６の形状が、全体的に同一であると、図８に示すような課題が発生する。即ち、吹出口５の左右方向両端部においては、吹出し空気１０の風速が吹出口５中央部よりも遅くなり風向板表面８ｂの負圧が小さいため、図８に示すように、上顎部上流側６ａに沿った吹出し空気１０の流れが風向板表面８ｂに沿いにくく、風向板先端部８ａまで到達しない場合があり、風向板先端部８ａ付近では、冷房運転時に温度の高い室内空気１１を巻き込み、風向板表面８ｂの温度が、風向板裏面８ｃの温度より高くなり、風向板表面８ｂが結露しやすくなる。
【００１８】
そこで、本実施の形態では、図４に示すように、吹出口５の左右方向両端部では、上顎部上流側６ａの水平線に対する角度θｓを、吹出口５中央部付近の上顎部上流側６ａの水平線に対する角度θｃよりも大きくしている。角度θｃは、例えば、約６５度である。
【００１９】
これにより、上顎部上流側６ａ沿った吹出し空気１０の流れがより下向きに吹出し、風向板表面８ｂに沿いやすく、吹出し空気１０が風向板先端部８ａに到達するので室内空気１１の巻き込みがなくなり、冷房運転時の風向板先端部８ａでの結露を抑制できる。
【００２０】
図３は吹出口５中央部において吹出し空気１０を水平吹きする場合の流れを示す。風向板８は、略水平の状態で、円弧形状は上に凸になっている。熱交換器４の中段、下段を通過した二次空気９は、風向板８の風向板表面８ｂまたは風向板裏面８ｃに沿って、矢印Ｂ’、矢印Ｃ’、矢印Ｄ’で示すように前方水平方向に吹出し空気１０として吹出される。また、熱交換器４の上段を通過した二次空気９は、風向板８の風向板表面８ｂに沿って、矢印Ａ’で示すように前方水平方向に吹出し空気１０として吹出される。
【００２１】
吹出口５中央部において、上顎部上流側６ａの傾斜角度θｃを、吹出口５両端部の上顎部上流側６ａの傾斜角度θｓと同じように大きくすると、図９に示すように、上顎部上流側６ａに沿った吹出し空気１０の流れは（矢印Ａ’）、下向きのベクトルを持ち、且つ風速が大きいため、水平吹き時に風向板表面８ｂ付近の吹出し空気１０の流れ（矢印Ｂ’）と合流する際の気流の乱れが大きくなり、上顎部下流側６ｂで室内空気１１を巻き込み、冷房運転時、上顎部下流側６ｂが結露したり、圧損が大きくなるという課題があり、吹出口５中央部の上顎部上流側６ａの傾斜角度θｃを、吹出口５両端部の上顎部上流側６ａの傾斜角度θｓと同じように大きくするのは得策ではない。
【００２２】
一方、吹出口５両端部では、図５に示すように、吹出口５両端部の上顎部上流側６ａの傾斜角度θｓが大きくても、風速が吹出口５中央部より遅いため、水平吹き時に上顎部上流側６ａに沿った吹出し空気１０の流れは（矢印Ａ’）と、風向板表面８ｂ付近の吹出し空気１０の流れ（矢印Ｂ’）が合流する際の気流の乱れは小さく、冷房運転時の上顎部下流側６ｂの結露や、圧損の増大という不具合は起こらない。
【００２３】
以上のように、吹出口５の左右方向の長さが２００ｍｍ以内の範囲の、両端部の上顎部上流側６ａの傾斜角度θｓを、吹出口５の中央部の傾斜角度θｃより大きくすることにより、下吹き、水平吹き両方での結露耐力に優れ、且つ風路圧損の小さい吹出口５を実現できる。尚、上顎部６の左右方向両端部と中央部との境界は、滑らかに繋ぐのが好ましいが、必須ではない。滑らかに繋がなくてもよい。
【００２４】
実施の形態２．
図７は実施の形態２を示す図で、下吹き時の吹出口５両端部の断面図である。
【００２５】
実施の形態１では、吹出口５両端部の上顎部上流側６ａの傾斜角度θｓを、吹出口５中央部の傾斜角度θｃより大きくすることで、下吹き、水平吹き両方での結露耐力に優れ、且つ風路圧損の小さい吹出口５を実現したが、実施の形態２では、吹出口５両端部の上顎部上流側６ａを盛り上げて風向板８に近づけ、上流から下流に向け絞り形状とすることで、吹出口５両端部の下吹き時の風向板表面８ｂに沿う吹出し空気１０の流れ（矢印Ｂ）を風速を早くして、吹出し空気１０の風向板先端部８ａへの到達性を高めることにより、室内空気１１の巻き込みを防止し、下吹きでの結露耐力に優れ、且つ風路圧損の小さい吹出口５を実現できる。
【００２６】
水平吹出しの場合は、図示はしないが、吹出口５両端部では、上顎部上流側６ａを風向板８に近づけ上流から下流に向け絞り形状としても、端部の壁の影響で元々風速は遅いので、上顎部上流側６ａに沿った吹出し空気１０の流れと、風向板表面８ｂ付近の吹出し空気１０の流れが合流する際の気流の乱れは小さく、冷房運転時の上顎部下流側６ｂの結露や、圧損の増大という不具合は起こらない。
【００２７】
以上のように、吹出口５両端部の上顎部上流側６ａを盛り上げて風向板８に近づけ、上流から下流に向け絞り形状とすることで、吹出口５両端部の下吹き時の風向板表面８ｂに沿う吹出し空気１０の流れを風速を早くして、吹出し空気１０の風向板先端部８ａへの到達性を高めることにより、室内空気１１の巻き込みを防止し、下吹き、水平吹きでの結露耐力に優れ、且つ風路圧損の小さい吹出口５を実現できる。
【００２８】
実施の形態３．
実施の形態１と実施の形態２とを組合わせて、吹出口５両端部の上顎部上流側６ａの傾斜角度θｓを、吹出口５中央部の傾斜角度θｃより大きくし、且つ吹出口５両端部の上顎部上流側６ａを盛り上げて風向板８に近づけ、上流から下流に向け絞り形状とすると、さらに効果がある。即ち、下吹き時の吹出し空気１０の風向板先端部８ａへの到達性を高め、風向板先端部８ａの結露耐力をより向上できる。
【図面の簡単な説明】
【００２９】
【図１】実施の形態１を示す図で、天井吊り下げ形空気調和機２０の全体構成図である。
【図２】実施の形態１を示す図で、下吹き時の吹出口５中央部の断面図である。
【図３】実施の形態１を示す図で、水平吹き時の吹出口５中央部の断面図である。
【図４】実施の形態１を示す図で、下吹き時の吹出口５両端部の断面図である。
【図５】実施の形態１を示す図で、水平吹き時の吹出口５両端部の断面図である。
【図６】実施の形態１を示す図で、吹出口５の正面図である。
【図７】実施の形態２を示す図で、下吹き時の吹出口５両端部の断面図である。
【図８】参考図で、下吹き時の吹出口５両端部の断面図（上顎部上流側６ａの傾斜角度θｃと、吹出口５両端部の上顎部上流側６ａの傾斜角度θｓが同一の場合）である。
【図９】参考図で、水平吹き時の吹出口５中央部の断面図（上顎部上流側６ａの傾斜角度θｃが、吹出口５両端部の上顎部上流側６ａの傾斜角度θｓよりも大きい場合）である。
【符号の説明】
【００３０】
１  送風ファン、２  吸込口、３  風路、４  熱交換器、５  吹出口、６  上顎部、６ａ  上顎部上流側、６ｂ  上顎部下流側、７  下顎部、８  風向板、８ａ  風向板先端部、８ｂ  風向板表面、８ｃ  風向板裏面、９  二次空気、１０  吹出し空気、１１  室内空気、１２  筐体、２０  天井吊り下げ形空気調和機。
【図１】
2008032238.tif 000003
【図２】
2008032238.tif 000004
【図３】
2008032238.tif 000005
【図４】
2008032238.tif 000006
【図５】
2008032238.tif 000007
【図６】
2008032238.tif 000008
【図７】
2008032238.tif 000009
【図８】
2008032238.tif 000010
【図９】
2008032238.tif 000011